(57)【要約】【課題】  １種類の製品ラインナップで、内蔵部品の搭載容量に応じて、装置の容積を容易に拡張または縮小することのできる容積可変構造を提供する。【解決手段】  基板を収納する装置を構成する下カバー３および上カバー２から成る筐体の容積可変構造であって、下カバー３と上カバー２を連結するスペーサーおよびネジ止め機能を有する複数の柱ネジ４０、４１、４２、４３と、未使用な複数の柱ネジを収納する収納部と、複数の柱ネジ４０、４１、４２、４３を挿入して下カバー３と上カバー２を連結する下カバー３と上カバー２が嵌合する所定の複数の部位に設けた柱ネジ挿入機構と、を有することを特徴とする。【選択図】    図２
2017028139.tif 000002
【特許請求の範囲】
【請求項１】
基板を収納する装置を構成する下カバーおよび上カバーから成る筐体の容積可変構造であって、
前記下カバーと前記上カバーを連結するスペーサーおよびネジ止め機能を有する複数の柱ネジと、
未使用な前記複数の柱ネジを収納する収納部と、
前記複数の柱ネジを挿入して前記下カバーと前記上カバーを連結する前記下カバーと前記上カバーが嵌合する所定の複数の部位に設けた柱ネジ挿入機構と、を有することを特徴とする装置の容積可変構造。
【発明の詳細な説明】
【技術分野】
【０００１】
本発明は、装置の容積可変構造に関する。
【背景技術】
【０００２】
従来、電子機器などの装置は、内蔵する基板や電源などの電気部品の搭載容量が、機能に応じて異なっており、装置の外形サイズも内蔵部品の搭載容量に伴い複数のバリエーションを提供しているのが一般的である（例えば、特許文献１）。
【０００３】
しかしながら、特許文献１に記載された装置は、購入後に機能追加したいなどの理由で内蔵する基板などの部品の容量が増える場合、その機能を有する装置を新たに購入する必要があり、その分のコストがかさむという問題がある。
【０００４】
また、新たな装置を購入することにより、既存の装置は不要となり、廃棄しなければならないといった利便性に問題がある。
【先行技術文献】
【特許文献】
【０００５】
【特許文献１】特開２０１３−１２３２６８号公報
【発明の概要】
【発明が解決しようとする課題】
【０００６】
そこで、本発明の課題は１種類の製品ラインナップで、内蔵部品の搭載容量に応じて、装置の容積を容易に拡張または縮小することのできる容積可変構造を提供することにある。
【課題を解決するための手段】
【０００７】
上記課題を解決するために、本発明は、基板を収納する装置を構成する下カバーおよび上カバーから成る筐体の容積可変構造であって、前記下カバーと前記上カバーを連結するスペーサーおよびネジ止め機能を有する複数の柱ネジと、未使用な前記複数の柱ネジを収納する収納部と、前記複数の柱ネジを挿入して前記下カバーと前記上カバーを連結する前記下カバーと前記上カバーが嵌合する所定の複数の部位に設けた柱ネジ挿入機構と、を有することを特徴とする。
【発明の効果】
【０００８】
本発明によれば、１種類の製品ラインナップで、内蔵部品の搭載容量に応じて、装置の容積を容易に拡張または縮小することのできる容積可変構造を提供できる。
【図面の簡単な説明】
【０００９】
【図１】本発明の実施の一形態に係る電子機器を示す斜視図
【図２】図１の状態から上カバーをはずした状態を示す図
【図３】図２の状態から柱ネジを収納した状態を示す図
【図４】図３の状態の電子機器を示す斜視図
【図５】図２の状態から追加柱ネジを挿入した状態を示す図
【図６】図５の状態の上カバーの状態を示す図
【発明を実施するための形態】
【００１０】
以下に、電子機器を例に、図面を参照しながら、本発明の実施の一形態について説明する。ただし、以下の説明は、あくまでも本発明の例示にすぎず、以下の記載によって発明の技術的範囲が限定されるものではない。
【００１１】
図１は、本発明の実施の一形態に係る電子機器１を示す斜視図である。電子機器１の筐体を構成する上カバー２と、電子機器１の筐体を構成する下カバー３から成る構造を表している。１種類の製品ラインナップで、内蔵部品の搭載容量に応じて、装置の容積を容易に拡張または縮小することのできる容積可変構造について、以下で説明する。
【００１２】
図２は、図１の状態から上カバー２をはずした状態を示す図である。下カバー３の外周に上カバー２を連結する柱ネジ４０、４１、４２、４３を有する。なお、柱ネジ４０、４１、４２、４３は、４本有しているが、筐体のサイズ等に応じて数は問わない。また、設置個所については本発明の趣旨を阻害しないものであれば、これに限定されないものとする。
【００１３】
上カバー２の柱ネジ４０、４１、４２、４３と対向する部位に、柱ネジ４０、４１、４２、４３を締結する上カバー部ネジ穴２０、２１、２２、２３を形成する。
【００１４】
下カバー３の内壁に柱ネジ４０、４１、４２、４３を収納する収納部ネジ穴３０、３１、３２、３３を形成する。
【００１５】
下カバー３の内壁に後述する追加柱ネジ４４、４５、４６、４７を収納する。
【００１６】
図３は、図２の状態から柱ネジ４０、４１、４２、４３を収納部ネジ穴３０、３１、３２、３３に収納した状態を示す図である。下カバー３の外周に柱ネジ４０、４１、４２、４３を締結する下カバー部ネジ穴３４、３５、３６、３７を形成する。なお、下カバー部ネジ穴３４、３５、３６、３７は、４箇所設けているが、筐体のサイズ等に応じて数は問わない。また、設置個所については本発明の趣旨を阻害しないものであれば、これに限定されないものとする。
【００１７】
図４は、図３の状態の電子機器５を示す斜視図である。電子機器５の筐体を構成する上カバー２と、電子機器５の筐体を構成する下カバー３から成る構造を表している。図１の電子機器１から容積を縮小した状態を表している。
【００１８】
図５は、図２の状態から追加柱ネジ４４、４５、４６、４７を挿入した状態を示す図である。柱ネジ４０、４１、４２、４３の上部に追加柱ネジ４４、４５、４６、４７を締結している。上カバー２の内壁に収納している延長壁２４を矢印方向に引き出した状態を表しており、図２の状態から容積を拡張した状態を表している。
【００１９】
図６は、図５の状態の上カバー２の状態を示す図である。上カバー２の内壁にスライドレール２５を有する。延長壁２４は上カバー２の内壁とスライドレール２５の間隙に挟持または引き出し可能となっている。
【００２０】
以上説明した通り、本発明によれば、１種類の製品ラインナップで、内蔵部品の搭載容量に応じて、装置の容積を容易に拡張または縮小することのできる容積可変構造を提供できる。
【００２１】
なお、実施の一形態においては、電子機器を例に説明したが、本発明の構造は、内蔵部品を搭載する装置一般に適用可能であり、電子機器以外に、特に内蔵部品の搭載容量に多様性を求められる機器にも適している。
【符号の説明】
【００２２】
１…電子機器、２…上カバー、２０…上カバー部ネジ穴、２１…上カバー部ネジ穴、２２…上カバー部ネジ穴、２３…上カバー部ネジ穴、２４…延長壁、２５…スライドレール、３…下カバー、３０…収納部ネジ穴、３１…収納部ネジ穴、３２…収納部ネジ穴、３３…収納部ネジ穴、３４…下カバー部ネジ穴、３５…下カバー部ネジ穴、３６…下カバー部ネジ穴、３７…下カバー部ネジ穴、４０…柱ネジ、４１…柱ネジ、４２…柱ネジ、４３…柱ネジ、４４…追加柱ネジ、４５…追加柱ネジ、４６…追加柱ネジ、４７…追加柱ネジ、５…電子機器
【図１】
2017028139.tif 000003
【図２】
2017028139.tif 000004
【図３】
2017028139.tif 000005
【図４】
2017028139.tif 000006
【図５】
2017028139.tif 000007
【図６】
2017028139.tif 000008